(57)【要約】【課題】太陽熱で温めた空気を室内へ送り込んで暖房する場合に、特に高気密型建築物でも、室内への暖気の送入が阻害されず、室内の温度をスムースに上昇させることができて、暖房効率の良い空気式太陽熱利用暖房における排気方法を提供する。【解決手段】太陽熱を利用して温められた暖気を室内へ送り込んで室内温度を上昇させるソーラシステムを採用した建築物の暖房における排気方法であって、室内の空気を室外へ排出しうる排気部が設けられ、上記排気部は、室内の空気を室外へ排出しうる排気孔を有する排気ボックスと、上記排気孔を開閉しうるダンパーとを有することを特徴とする。【選択図】        図１
2004347161.tif 000002
【特許請求の範囲】
【請求項１】
太陽熱を利用して温められた暖気を室内へ送り込んで室内温度を上昇させるソーラシステムを採用した建築物の暖房における排気方法であって、室内の空気を室外へ排出しうる排気部が設けられていることを特徴とする空気式太陽熱利用暖房における排気方法。
【請求項２】
上記排気部は、室内の空気を室外へ排出しうる排気孔を有する排気ボックスと、上記排気孔を開閉しうるダンパーとを有することを特徴とする請求項１記載の空気式太陽熱利用暖房における排気方法。
【請求項３】
上記ソーラシステムは、日射を受けて加熱される屋根部と、上記屋根部に設けられて上記屋根部の裏側に形成された外気流入空間に屋外から取り入れた空気を温める集熱部と、上記外気流入空間へ屋外から外気を取り入れるとともに上記集熱部で温められた暖気を床下へ送るファンを備えたハンドリングユニットと、床下で暖気を流通させることにより床パネルを温める床下暖気流通部と、上記床下暖気流通部と室内とを連通させて暖気を室内へ流入させる暖気吹出口とを備えて構成されていることを特徴とする請求項１又は２記載の空気式太陽熱利用暖房における排気方法。
【請求項４】
上記床下暖気流通部は、上記床パネルの下方に蓄熱性コンクリート部が設けられて、その両者の間に形成されていることを特徴とする請求項３記載の空気式太陽熱利用暖房における排気方法。
【請求項５】
上記ソーラーシステムは、室内の空気を上記ハンドリングユニットへ戻しうるリターンダクトを備えていることを特徴とする請求項３又は４記載の空気式太陽熱利用暖房における排気方法。
【請求項６】
上記リターンダクトは一端部が室内に開口すると共に他端部は上記ハンドリングユニットに開口するように配設されていることを特徴とする請求項５記載の空気式太陽熱利用暖房における排気方法。
【請求項７】
上記リターンダクトは一端部が上記排気ボックスに開口すると共に他端部が上記ハンドリングユニットに開口するように配設され、上記ダンパーにより上記排気孔と上記リターンダクトの開口部を択一的に開閉しうるように形成されていることを特徴とする請求項５記載の空気式太陽熱利用暖房における排気方法。
【請求項８】
上記リターンダクトが接続された上記排気ボックスに取り付けられた上記ダンパーは、上記排気孔を開いたときに上記リターンダクトの開口部を閉じて、上記排気孔を閉じたときに上記リターンダクトの開口部を開くように形成されていることを特徴とする請求項７記載の空気式太陽熱利用暖房における排気方法。
【請求項９】
上記リターンダクトが接続された上記排気ボックスに取り付けられた上記ダンパーは、上記リターンダクトの開口部を開いた状態で、上記排気孔のみを開閉するように形成されていることを特徴とする請求項７記載の空気式太陽熱利用暖房における排気方法。
【請求項１０】
上記排気ボックスに取り付けられた上記ダンパーは、電動モータにより上記ハンドリングユニットのファンと連動するように駆動され、上記ファンが外気導入運転を開始したときに上記排気孔を開き、上記ファンが外気導入運転を停止したとき又は屋内循環運転を開始したときに上記排気孔を閉じるように制御されることを特徴とする請求項３、４、５、６、７、８又は９記載の空気式太陽熱利用暖房における排気方法。
【発明の詳細な説明】
【０００１】
【発明の属する技術分野】
本発明は、建築物の空気式太陽熱利用暖房における排気方法に係り、特に建築物が高気密型の場合の排気方法に関するものである。
【０００２】
【従来の技術】
従来、太陽熱を直接利用した暖房方法を採用した建築物、いわゆる空気式ソーラシステムを用いた建築物は種々公知である。例えば、特許文献１には、屋根で温めた空気を床下へ送って床暖房を行なうとともに、その空気を更に室内へ循環させて室内の温度を上昇可能にしたソーラーシステムハウスが記載されている。
【０００３】
【特許文献１】
特許第２５０９８２５号公報
【０００４】
ところで、従来の日本家屋は、隙間が多いので、上記のように、温めた空気を室内へ送り込むと、室内に存在していた常温の空気が隙間から押し出されて適度に外へ逃げるので、室内の圧力が上昇することはなかった。したがって、暖気を室内へ送入し続けることができるので、室内が暖気で満たされ、暖房効果を得ることができた。したがって、従来の日本家屋では上記の暖房方法は有効であった。
【０００５】
しかしながら、最近は、省エネの観点から、建築物の気密性及び断熱性を高める傾向がある。
【０００６】
そして、特に、高気密型の建築物では、室内の空気が建築物の外部へ流出しにくいことから、上記のように暖気を室内へ送入した場合であっても、暖気の流入が阻害されて、室内の温度が上がりにくくなり、暖房効率が悪いという問題がある。
【０００７】
【発明が解決しようとする課題】
本発明は上記の問題を解決すること、すなわち、太陽熱で温めた空気を室内へ送り込んで暖房する場合に、特に高気密型建築物でも、室内への暖気の送入が阻害されず、室内の温度をスムースに上昇させることができて、暖房効率の良い斬新な空気式太陽熱利用暖房における排気方法の提供を課題とする。
【０００８】
【課題を解決するための手段】
上記課題を解決するために、本発明の空気式太陽熱利用暖房における排気方法は、太陽熱を利用して温められた暖気を室内へ送り込んで室内温度を上昇させるソーラシステムを採用した建築物の暖房における排気方法であって、室内の空気を室外へ排出しうる排気部が設けられていることを特徴とするものである。
【０００９】
また、本発明の空気式太陽熱利用暖房における排気方法にあっては、上記排気部は、室内の空気を室外へ排出しうる排気孔を有する排気ボックスと、上記排気孔を開閉しうるダンパーとを有するものとすることができる。
【００１０】
また、本発明の空気式太陽熱利用暖房における排気方法にあっては、上記ソーラシステムは、日射を受けて加熱される屋根部と、上記屋根部に設けられて上記屋根部の裏側に形成された外気流入空間に屋外から取り入れた空気を温める集熱部と、上記外気流入空間へ屋外から外気を取り入れるとともに上記集熱部で温められた暖気を床下へ送るファンを備えたハンドリングユニットと、床下で暖気を流通させることにより床パネルを温める床下暖気流通部と、上記床下暖気流通部と室内とを連通させて暖気を室内へ流入させる暖気吹出口とを備えて構成されているものとすることができる。
【００１１】
また、本発明の空気式太陽熱利用暖房における排気方法にあっては、上記床下暖気流通部は、上記床パネルの下方に蓄熱性コンクリート部が設けられて、その両者の間に形成されているものとすることができる。
【００１２】
また、本発明の空気式太陽熱利用暖房における排気方法にあっては、  上記ソーラーシステムは、室内の空気を上記ハンドリングユニットへ戻しうるリターンダクトを備えているものとすることができる。
【００１３】
また、本発明の空気式太陽熱利用暖房における排気方法にあっては、  上記リターンダクトは一端部が室内に開口すると共に他端部は上記ハンドリングユニットに開口するように配設されているものとすることができる。
【００１４】
また、本発明の空気式太陽熱利用暖房における排気方法にあっては、  上記リターンダクトは一端部が上記排気ボックスに開口すると共に他端部が上記ハンドリングユニットに開口するように配設され、上記ダンパーにより上記排気孔と上記リターンダクトの開口部を択一的に開閉しうるように形成されているものとすることができる。
【００１５】
また、本発明の空気式太陽熱利用暖房における排気方法にあっては、上記リターンダクトが接続された上記排気ボックスに取り付けられた上記ダンパーは、上記排気孔を開いたときに上記リターンダクトの開口部を閉じて、上記排気孔を閉じたときに上記リターンダクトの開口部を開くように形成されているものとすることができる。
【００１６】
また、本発明の空気式太陽熱利用暖房における排気方法にあっては、上記リターンダクトが接続された上記排気ボックスに取り付けられた上記ダンパーは、上記リターンダクトの開口部を開いた状態で、上記排気孔のみを開閉するように形成されているものとすることができる。
【００１７】
また、本発明の空気式太陽熱利用暖房における排気方法にあっては、上記排気ボックスに取り付けられた上記ダンパーは、電動モータにより上記ハンドリングユニットのファンと連動するように駆動され、上記ファンが外気導入運転を開始したときに上記排気孔を開き、上記ファンが外気導入運転を停止したとき又は屋内循環運転を開始したときに上記排気孔を閉じるように制御されるものとすることができる。
【００１８】
【発明の実施の形態】
以下、添付した図面を用いて本発明の実施の形態について説明する。まず、本実施の形態に係る空気式太陽熱利用暖房における排気方法は、図１、図３及び図５に示すように、太陽熱を利用して温められた暖気を室内２へ送り込んで室内温度を上昇させるソーラシステムを採用した建築物１の暖房における排気方法であって、室内２の空気を室外へ排出しうる排気部２４が設けられている。
そして、上記排気部２４は、図１〜図６に示すように、室内２の空気を室外へ排出しうる排気孔２１を有する排気ボックス１８と、上記排気孔２１を開閉しうるダンパー２２とを有している。
そして、上記ソーラシステムは、図１、図３及び図５に示すように、日射を受けて加熱される屋根部６と、上記屋根部６に設けられて上記屋根部６の裏側に形成された外気流入空間２８に屋外から取り入れた空気を温める集熱部８と、上記外気流入空間２８へ屋外から外気を取り入れるとともに上記集熱部８で温められた暖気を床下へ送るファン１２を備えたハンドリングユニット１１と、床下で暖気を流通させることにより床パネル１５を温める床下暖気流通部１４と、上記床下暖気流通部１４と室内２とを連通させて暖気を室内２へ流入させる暖気吹出口１７とを備えて構成されている。
そして、上記床下暖気流通部１４は、図１、図３及び図５に示すように、上記床パネル１５の下方に蓄熱性コンクリート部１６が設けられて、その両者の間に形成されている。
そして、上記ソーラーシステムは、図１、図３及び図５に示すように、室内２の空気を上記ハンドリングユニット１１へ戻しうるリターンダクト２３を備えている
そして、図１に示した実施形態では、上記リターンダクト２３は一端部が室内２に開口すると共に他端部は上記ハンドリングユニット１１に開口するように配設されている。
また、図３に示した実施形態では、上記リターンダクト２３は一端部が上記排気ボックス１８に開口すると共に他端部が上記ハンドリングユニット１１に開口するように配設され、上記ダンパー２２により上記排気孔２１と上記リターンダクト２３の開口部を択一的に開閉しうるように形成されている。
そして、図３に示した実施形態では、図４に示すように、上記リターンダクト２３が接続された上記排気ボックス１８に取り付けられた上記ダンパー２２は、上記排気孔２１を開いたときに上記リターンダクト２３の開口部２６を閉じて、上記排気孔２１を閉じたときに上記リターンダクト２３の開口部２６を開くように形成されている。
また、図５に示した実施形態では、図６に示したように、上記リターンダクト２３が接続された上記排気ボックス１８に取り付けられた上記ダンパー２２は、上記リターンダクト２３の開口部２６を開いた状態で、上記排気孔２１のみを開閉するように形成されている。
そして、図１〜図６に示すように、上記排気ボックス１８に取り付けられた上記ダンパー２２は、電動モータにより上記ハンドリングユニット１１のファン１２と連動するように駆動され、上記ファン１２が外気導入運転を開始したときに上記排気孔２１を開き、上記ファン１２が外気導入運転を停止したとき又は屋内循環運転を開始したときに上記排気孔２１を閉じるように制御されている。
【００１９】
次に、本実施の形態について、さらに詳細に説明する。本実施の形態に係る上記建築物１は、高気密性且つ高断熱性を有するように形成されている。すなわち、図１、図３及び図５において室内２の周囲を取り囲む壁３、床４、天井５等の境界や継ぎ目に隙間がないように形成され、かつ、壁３、床４、蓄熱性コンクリート部１６の下面、天井５等も高気密性の素材を用いて形成されている。また、壁３、蓄熱性コンクリート部１６の下面、天井５等は断熱性に優れた素材で形成されるか、又は断熱材で覆われて、高断熱性を備えている。
【００２０】
上記建築物１の屋根部６には、図１、図３及び図５に示すように、金属板製で比熱の小さい屋根板７が使用されている。したがって、日射を受けると屋根板７の温度が上昇しやすい。
【００２１】
上記屋根板７の裏側には、図１、図３及び図５に示すように、その屋根板７に沿って傾斜するよう外気流入空間２８が形成され、その下端部に外気導入口９が開設されている。そして、上記屋根板７の上部に集熱部８が設けられ、その集熱部８における屋根板７の上にガラスカバー２７が被せられて、熱が風で拡散するのを防いでいる。また、上記外気流入空間２８の上端部は建築物１の棟部に形成された棟ダクト１０に連通されている。
【００２２】
上記屋根板７が日射を受けて温度が上昇すると、図１、図３及び図５に示すように、上記屋根板７の裏側に形成された外気流入空間２８に導入された外気が温められて、屋根板７の勾配により、その屋根板７に沿って上昇し、さらに上記集熱部８で外気はより温められて、そこから上記棟ダクト１０に流入する。
【００２３】
上記棟ダクト１０には、図１、図３及び図５に示すように、ハンドリングユニット１１が接続されている。このハンドリングユニット１１にはファン１２が設置されていて、そのファン１２が回転することにより、上記棟ダクト１０内の暖気は吸引されてハンドリングユニット１１内へ流入する。なお、このハンドリングユニット１１には、上記のファン１２のみでなく、外気を導入する場合と、空気を屋内循環させる場合の切り替えを行ないうるダンパー（図は省略）も内蔵されている。また、このハンドリングユニット１１には温度センサーやマイコンも装備されていて、上記の内蔵ダンパーを制御することができる。
【００２４】
上記ハンドリングユニット１１には、図１、図３及び図５に示すように、屋根裏から床下まで伸びる縦ダクト１３の上端が接続されている。なお、上記ハンドリングユニット１１には、図１、図３及び図５に示すように、屋外への排出ダクト２５も接続されている。そして、内蔵したダンパー（図は省略）により、縦ダクト１３へ送る場合と、排出ダクト２５へ送る場合の切り替えを可能としている。
【００２５】
上記建築物１の床下には、図１、図３及び図５に示すように、床下暖気流通部１４が形成されている。そして、その床下暖気流通部１４に上記縦ダクト１３の下端が連通されている。
【００２６】
上記ハンドリングユニット１１の暖気は、図１、図３及び図５に示すように、上記ファン１２によって上記縦ダクト１３を通って上記床下暖気流通部１４へ送られる。
【００２７】
上記床下暖気流通部１４は、図１、図３及び図５に示すように、床パネル１５と、その下方に設けられた蓄熱性コンクリート部１６との間に形成されている。上記床下暖気流通部１４に入った暖気は上記床パネル１５を介して室内２を暖めるとともに、上記蓄熱性コンクリート部１６に熱を蓄えておくことができる。上記蓄熱性コンクリート部１６は気密性があるとともに、地盤との間は断熱されている。
【００２８】
床４の一隅には、図１、図３及び図５に示すように、上記床下暖気流通部１４と室内２とを連通させる暖気吹出口１７が開設されている。上記床下暖気流通部１４を通過した暖気は、その暖気吹出口１７から室内２へ入って室内２を暖房することができる。
【００２９】
上記蓄熱性コンクリート部１６に蓄えられた熱は、夜間など日射の無いときに、蓄えた熱を放出することにより床パネル１５を介して、又は上記ファン１２を駆動させて床下暖気流通部１４内の暖気を暖気吹出口１７、室内２、リターンダクト２３、縦ダクト１３へと強制的に屋内で循環させることにより室内２を暖めることができる。
【００３０】
しかしながら、上記のように、室内２の周囲を取り囲む壁３、蓄熱性コンクリート部１６、床４、天井５等が高気密性を備えるように形成されているので、室内２の空気は外部へ逃げることができず、上記のように暖気が室内２へ流入すると、室内２の圧力が上昇し、次第に暖気２の室内２への流入を阻害することになる。
【００３１】
したがって、室内２の温度が上がりにくくなり、暖房効率が悪いという問題がある。そこで、かかる問題を解決するために、本実施の形態では、室内２の空気を屋外へ排出するための排気孔２１及びダンパー２２を有する排気部２４が、図１、図３及び図５に示すように、上記天井５に設置されている。
【００３２】
室内２の空気は、図１、図３及び図５に示すように、上記天井５の排気部２４における排気孔２１から天井裏１９へ逃げることができる。したがって、棟ダクト１０より外気の導入運転を行なっているときは、上記暖気吹出口１７から室内２へ暖気が流入し続けることができて、室内２は暖気で満たされることになり、室内２の温度は上昇し、暖房効果が得られる。
【００３３】
上記のように天井裏１９に逃げた空気は、図１、図３及び図５に示すように、壁に形成された開口部２０から屋外へ排出される。
【００３４】
なお、本実施の形態では、上記排気部２４が天井５に設置されているが、上記排気部２４の設置箇所は自由であり、天井５に限定するものではない。すなわち、上記排気部２４は、室内２と室外とを連通させうる場所であればよく、例えば壁３に設置することも可能である。
【００３５】
上記排気部２４は、図１〜図６に示すように、排気孔２１を有する排気ボックス１８と、その排気孔２１を開閉する回転式のダンパー２２とにより構成されている。
【００３６】
上記ダンパー２２は、上記のように室内２の空気を、天井裏１９を通して屋外へ排出する場合だけ、上記排気ボックス１８の排気孔２１を開き、その他の場合は、上記排気ボックス１８の排気孔２１を閉じて、室内２から室外への空気の流出や、室外から室内２への空気の逆流を防ぐことができる。
【００３７】
上記ダンパー２２は電動式でモータで駆動され、また、上記ファン１２もモータで駆動される。そして、ハンドリングユニット１１内のマイコン等を用いた制御部でこれらモータを制御している。なお、上記のモータやマイコンの図は省略した。
【００３８】
そして、上記ダンパー２２を駆動するモータと、上記ファン１２を駆動するモータは、上記マイコンの制御部によって連動するように制御され、上記ファン１２が外気導入運転を開始したときに、図２のＡ、図４のＡ及び図６のＡに示すように、上記ダンパー２２が上記排気ボックス１８の排気孔２１を開き、又、上記ファン１２が外気導入運転を停止したときや、屋内循環運転を開始したときに、図２のＢ、図４のＢ及び図６のＢに示すように、上記ダンパー２２が上記排気ボックス１８の排気孔２１を閉じるようになっている。
【００３９】
なお、図示は省略するが、室内２に温度センサーを設置して、室内２が設定温度に達したときに上記ファン１２の運転を上記制御部により停止させるとともに上記ダンパー２２が上記排気ボックス１８の排気孔２１を閉じるようになし、又、室温が設定温度より低下したときに、上記ファン１２の運転を再開するとともに上記ダンパー２２が上記排気ボックス１８の排気孔２１を開くようにすることも可能である。
【００４０】
また、上記太陽熱利用暖房システムには、図示は省略するが、給湯システムを付加することも可能である。そして、その給湯システムにより風呂、台所、洗面所などへ給湯することも可能である。例えば、上記ハンドリングユニット１１内に給湯コイルを設置し、ハンドリングユニット１１内に導いた暖気で給湯コイル内の水も温めるようになし、その給湯コイルと風呂、台所、洗面所などへ給湯する貯湯槽とを循環配管により連結する給湯システムを構成することが可能である。また、上記給湯コイル内の水の温度上昇が不十分な場合は、上記給湯システムに追い焚き装置を付加することもできる。そして、上記給湯コイル、貯湯槽等に温度センサーを設置して、上記追い焚き装置の運転開始と運転停止を上記制御部で制御することも可能である。
【００４１】
上記のように、図１及び図２に示した実施形態では、上記リターンダクト２３は一端部が室内２に開口すると共に他端部は上記ハンドリングユニット１１に開口するように配設されている。
【００４２】
これに対し、図３及び図４に示した実施形態と、図５及び図６に示した実施形態では、上記リターンダクト２３は一端部が上記排気ボックス１８に開口すると共に他端部が上記ハンドリングユニット１１に開口されるように配設され、図３及び図４に示した実施形態では、上記ダンパー２２により上記排気孔２１と上記リターンダクト２３の開口部２６を択一的に開閉しうるように形成されている。
【００４３】
そして、図３及び図４に示した実施形態では、上記排気ボックス１８内に取り付けられた上記ダンパー２２は、図４のＡに示すように、上記排気孔２１を開いたときにリターンダクト２３の開口部２６を閉じ、図４のＢに示すように、上記排気孔２１を閉じたときにリターンダクト２３の開口部２６を開くように形成されている。したがって、リターンダクト２３の開口部２６をダンパー２２により閉じれば、室内２の空気を天井裏１９から屋外へ排出することができ、リターンダクト２３の開口部２６をダンパー２２により開けば、室内２から出た空気をリターンダクト２３を介してハンドリングユニット１１へ戻し、さらに室内２へ循環させることができる。
【００４４】
上記排気ボックス１８のダンパー２２は、その開閉が上記制御部により制御されている。すなわち、室内２の温度が設定温度に達していないことを上記温度センサーが示しているときは、つまり、室内２がまだ寒いときは、図４のＡに示すように、上記ダンパー２２が排気ボックス１８の上記排気孔２１を開くとともに、上記リターンダクト２３の開口部２６を閉じて、室内２の冷気が天井裏１９を介して屋外に排出される。
【００４５】
また、室内２の温度が設定温度に達したことを上記温度センサーが検知したときは、上記ダンパー２２が排気ボックス１８の上記排気孔２１を閉じるとともに、上記リターンダクト２３の開口部２６を開いて、室内２から出た暖気がハンドリングユニット１１を介して室内２に循環させられる。これにより、暖気が屋外へ排出される無駄を省くことができる。
【００４６】
また、上記ダンパー２２は上記ファン１２と連動するように上記制御部で制御されている。すなわち、上記ダンパー２２を駆動するモータと、上記ファン１２を駆動するモータは、上記制御部によって連動するように制御され、上記ファン１２が外気導入運転を開始したときに、図４のＡに示すように、上記ダンパー２２が上記排気ボックス１８の排気孔２１を開き、又、上記ファン１２が外気導入運転を停止したとき、又は屋内循環運転に切り替えたときに、図４のＢに示すように、上記ダンパー２２が上記排気ボックス１８の排気孔２１を閉じるようになっている。
【００４７】
また、図５及び図６に示した実施形態でも、上記建築物１の天井５に設置された排気ボックス１８には、上記排気孔２１とは別個に上記ハンドリングユニット１１に接続するリターンダクト２３が接続されている。そして、上記排気ボックス１８には、その排気孔２１を開閉しうるダンパー２２が取り付けられている。しかしながら、このダンパー２２は上記リターンダクト２３の開口部２６を閉じることはなく開いたままにしている。したがって、リターンダクト２３は常にダンパー２２の動作とは無関係に室内２と上記ハンドリングユニット１１とを連通している。
【００４８】
上記排気ボックス１８内に取り付けられた上記ダンパー２２が、図６のＡに示すように、上記排気孔２１を開いたときに、リターンダクト２３の開口部２６も開いている。そして、図６のＢに示すように、上記排気孔２１を上記ダンパー２２が閉じたときも、リターンダクト２３の開口部２６は開いている。すなわち、上記排気孔２１の開閉とは無関係にリターンダクト２３の開口部２６は開いている。この場合、図６のＡに示すように、上記排気孔２１が開いているときは、空気がリターンダクト２３を通ってハンドリングユニット１２へ入ろうとした場合であっても、ハンドリングユニット１１内のダンパーによりこれを阻止される。そして、上記上記排気孔２１が閉じて、ハンドリングユニット１１内のダンパーにより屋内循環運転に切り替えられたときだけ、空気はハンドリングユニット１１内へ入ることができる。
【００４９】
上記排気ボックス１８のダンパー２２は、上記制御部により制御されている。すなわち、室内２の温度が設定温度に達していないことを上記温度センサーが示しているときは、つまり、室内２がまだ寒いときは、図６のＡに示すように、上記ダンパー２２が排気ボックス１８の上記排気孔２１を開いて、室内２の空気が天井裏１９を介して屋外へ排出される。
【００５０】
また、室内２の温度が設定温度に達したことを上記温度センサーが検知したときは、図６のＢに示すように、上記ダンパー２２が排気ボックス１８の上記排気孔２１を閉じて、室内２から出た暖気がすべてリターンダクト２３を通ってハンドリングユニット１１へ送られ、さらに室内２へ循環させられる。これにより、暖気が屋外へ排出される無駄を省くことができる。
【００５１】
また、上記ダンパー２２は上記ファン１２と連動するように上記制御部で制御されている。すなわち、上記ダンパー２２を駆動するモータと、上記ファン１２を駆動するモータは、上記制御部によって連動するように制御され、上記ファン１２が外気導入運転を開始したときに、図６のＡに示すように、上記ダンパー２２が上記排気ボックス１８の排気孔２１を開き、又、上記ファン１２が外気導入運転を停止したとき、又は屋内循環運転に切り替えたときに、図６のＢに示すように、上記ダンパー２２が上記排気ボックス１８の排気孔２１を閉じるようになっている。
【００５２】
【作用】
建築物１が高気密性であると、室内２の空気が屋外へ逃げることができず、上記の問題が生じやすい。しかしながら、暖気を室内２へ送入するときに、排気ボックス１８の排気孔２１を開いておくと、室内２の空気の逃げ道ができるので、暖気を室内２に送入しても室内２の圧力は上昇しない。その結果、暖気の送入が阻害されず、暖気がスムースに室内２に流入して充満するので、短時間で室内温度が上昇する。
【００５３】
【発明の効果】
請求項１記載の本発明の空気式太陽熱利用暖房における排気方法は、太陽熱で温めた空気を室内へ送り込んで暖房する場合に、室内の空気を室外へ排出しうる排気部が設けられているので、特に高気密型建築物でも、室内への暖気の送入が阻害されず、室内の温度をスムースに短時間で上昇させることができて、暖房効率が良好である。
【００５４】
また、請求項２記載の本発明の空気式太陽熱利用暖房における排気方法は、上記排気部が、室内の空気を室外へ排出しうる排気孔を有する排気ボックスと、上記排気孔を開閉しうるダンパーとを有するので、排気が不要な場合にダンパーで排気孔を閉じ、必要な場合だけ排気孔を開いて排気することができる。
【００５５】
また、請求項３記載の本発明の空気式太陽熱利用暖房における排気方法は、日射を受ける屋根部で温められた空気を床下へ送ってから室内へ送入するので、床暖房も同時に行なうことができて、温められた空気を無駄なく有効に利用することができ、暖房効率が極めて良好である。
したがって、このような暖房効率の良い暖房システムを採用した建築物において本発明の排気方法を実施することにより、上記のように排気部を設けたことと相俟って、室内の温度を極めて短時間で上昇させることができる。
【００５６】
また、請求項４記載の本発明の空気式太陽熱利用暖房における排気方法は、蓄熱性コンクリート部に熱を蓄えておくことができるので、夜間など日射の無いときに、蓄えた熱を放出することにより床から室内を暖めることができる。
したがって、夜間など外気を取り入れて暖房することができない時間帯でも、上記排気部を閉じることにより、上記の熱により室内の温度を上昇させることができる。
【００５７】
また、請求項５記載の本発明の空気式太陽熱利用暖房における排気方法は、室内の空気を上記ハンドリングユニットへ戻しうるリターンダクトを備えているので、室内の暖気を循環させることができ、暖気が室外へ排出される無駄を無くすことができる。
【００５８】
また、請求項６記載の本発明の空気式太陽熱利用暖房における排気方法は、上記リターンダクトの一端部が室内に開口すると共に他端部は上記ハンドリングユニットに開口するように配設されているので、リターンダクトの位置とは無関係に排気ボックスを自由な位置に設けることができる。
【００５９】
また、請求項７記載の本発明の太陽熱利用暖房における排気方法は、上記リターンダクトの一端部が上記排気ボックスに開口すると共に他端部が上記ハンドリングユニットに開口されるように配設され、上記ダンパーにより上記排気孔と上記リターンダクトの開口部を択一的に開閉しうるように形成されているので、一つのダンパーの開閉動作により、室内の空気の屋外への排出と、強制的な室内暖気の循環とを実施することができる。
【００６０】
また、請求項８記載の本発明の太陽熱利用暖房における排気方法は、上記排気ボックスに取り付けられた上記ダンパーが、上記排気孔を開いたときに上記リターンダクトの入り口を閉じることができるので、ハンドリングユニットの内蔵ダンパーとともに、ハンドリングユニットへの空気の流入を２重に阻止することができる。
【００６１】
また、請求項９記載の本発明の太陽熱利用暖房における排気方法は、上記排気ボックスに取り付けられた上記ダンパーが、上記リターンダクトの入り口を開閉する必要がなく、排気孔のみ開閉すればよいので、ダンパーの作動を容易、確実にすることができる。
【００６２】
また、請求項１０記載の本発明の太陽熱利用暖房における排気方法は、排気ボックスのダンパーとハンドリングユニットを連動させて、最も好ましいタイミングで両者を作動させることができるので、一方だけが作動して生じる不具合、例えば、ファンが回転して屋内へ暖気を送入しているのにダンパーが排気孔を閉じている状態などを避けることができる。
【図面の簡単な説明】
【図１】建築物の太陽熱利用暖房システムを示す概念図である。
【図２】排気ボックスの断面図である。
【図３】建築物の太陽熱利用暖房システムを示す概念図である。
【図４】排気ボックスの断面図である。
【図５】建築物の太陽熱利用暖房システムを示す概念図である。
【図６】排気ボックスの断面図である。
【符号の説明】
１  建築物
２  室内
３  壁
４  床
５  天井
６  屋根部
７  屋根板
８  集熱部
９  外気導入口
１０  棟ダクト
１１  ハンドリングユニット
１２  ファン
１３  縦ダクト
１４  床下暖気流通部
１５  床パネル
１６  蓄熱性コンクリート部
１７  暖気吹出口
１８  排気ボックス
１９  天井裏
２０  開口部
２１  排気孔
２２  ダンパ
２３  リターンダクト
２４  排気部
２５  排出ダクト
２６  開口部
２７  ガラスカバー
２８  外気流入空間
【図１】
2004347161.tif 000003
【図２】
2004347161.tif 000004
【図３】
2004347161.tif 000005
【図４】
2004347161.tif 000006
【図５】
2004347161.tif 000007
【図６】
2004347161.tif 000008